(57)【要約】【課題】超音波ドプラスペクトラム画像から血流量を表す診断情報をより簡易かつ短時間で画一的なデータとして取得することが可能な超音波診断装置および超音波診断装置のデータ処理プログラムを提供することである。【解決手段】超音波診断装置は、被検体に超音波を送受信することによってドプラ信号を収集し、収集した前記ドプラ信号に基づくスペクトラムデータ(A)を生成するデータ収集手段と、前記スペクトラムデータ(A)から自動的にトレースした複数心拍(HEART BEAT)分のスペクトラムエンベロープ波形fp, fmを心拍(HEART BEAT)ごとに切出して並べる処理を施すことによって複数の波形データ(B), (C)を血流診断情報として作成する血流診断情報作成手段とを備える。【選択図】  図５
2010200844.tif 000002
【特許請求の範囲】
【請求項１】
被検体に超音波を送受信することによってドプラ信号を収集し、収集した前記ドプラ信号に基づくスペクトラムデータを生成するデータ収集手段と、
前記スペクトラムデータから自動的にトレースした複数心拍分のスペクトラムエンベロープ波形を心拍ごとに切出して並べる処理を施すことによって複数の波形データを血流診断情報として作成する血流診断情報作成手段と、
を備える超音波診断装置。
【請求項２】
前記血流診断情報作成手段は、前記複数の波形データから１つの代表波形データを作成する代表データ作成手段を有する請求項１記載の超音波診断装置。
【請求項３】
前記代表データ作成手段は、前記複数の波形データの平均化処理を行うことにより平均化された波形データを前記代表波形データとして取得するように構成される請求項２記載の超音波診断装置。
【請求項４】
前記代表データ作成手段は、数学モデルを用いて前記複数の波形データのモデル化を行うことによって得られる波形データを前記代表波形データとして取得するように構成される請求項２記載の超音波診断装置。
【請求項５】
前記血流診断情報作成手段は、前記スペクトラムエンベロープ波形に基づいて決定したタイミングで前記スペクトラムエンベロープ波形を心拍ごとに切出すように構成される請求項１記載の超音波診断装置。
【請求項６】
前記スペクトラムエンベロープ波形に基づいて収縮期の波形ピーク及び拡張期の波形ピークの少なくとも一方を検出するピーク検出手段をさらに備え、
前記血流診断情報作成手段は、前記収縮期の波形ピーク及び前記拡張期の波形ピークの少なくとも一方に基づいて決定したタイミングで前記スペクトラムエンベロープ波形を心拍ごとに切出すように構成される請求項１記載の超音波診断装置。
【請求項７】
前記血流診断情報作成手段は、心電波形または心音波形に基づいて決定したタイミングで前記スペクトラムエンベロープ波形を心拍ごとに切出すように構成される請求項１記載の超音波診断装置。
【請求項８】
前記血流診断情報作成手段は、前記複数の波形データの時間を１心拍の期間で正規化するように構成される請求項１記載の超音波診断装置。
【請求項９】
前記スペクトラムデータおよび前記スペクトラムエンベロープ波形の少なくとも一方とともに前記複数の波形データを表示させる表示手段をさらに備える請求項１記載の超音波診断装置。
【請求項１０】
前記表示手段は、前記複数の波形データを心拍ごとの複数の２次元データとして表示させるように構成される請求項９記載の超音波診断装置。
【請求項１１】
前記代表データ作成手段は、前記複数の波形データから特異値をとる波形データを除外して前記代表波形データを作成するように構成される請求項２記載の超音波診断装置。
【請求項１２】
前記代表データ作成手段は、前記複数の波形データの特徴を表す量に対する閾値処理によって検出された前記特異値をとる波形データを表示させ、表示された前記特異値をとる波形データから選択された波形データを除外して前記代表波形データを再計算するように構成される請求項１１記載の超音波診断装置。
【請求項１３】
前記血流診断情報作成手段は、前記代表波形データに基づいて血流に関する診断パラメータを計測する診断パラメータ計測手段をさらに有する請求項２記載の超音波診断装置。
【請求項１４】
コンピュータを、
被検体に超音波を送受信することによって収集されたドプラ信号に基づいてスペクトラムデータを生成するスペクトラム生成手段、および
前記スペクトラムデータから自動的にトレースした複数心拍分のスペクトラムエンベロープ波形を心拍ごとに切出して並べる処理を施すことによって複数の波形データを血流診断情報として作成する血流診断情報作成手段、
として機能させる超音波診断装置のデータ処理プログラム。
【発明の詳細な説明】
【技術分野】
【０００１】
本発明は、超音波ドプラスペクトラム画像のスペクトラム波形を自動的にトレースする超音波診断装置および超音波診断装置のデータ処理プログラムに係り、特にトレースされたスペクトラム波形に基づいて自動的に血流量を計測する超音波診断装置および超音波診断装置のデータ処理プログラムに関する。
【背景技術】
【０００２】
従来、超音波診断装置での循環器の血流計測が行われている。超音波診断装置による血流計測法として、組織ドプライメージング(TDI: Tissue Doppler Imaging)法や血流ドプライメージング用のパルスドプラ法(PWD: Pulsed Wave Doppler method)がある。TDI法は、ACM (Automated Cardiac Flow Measurement)法とも呼ばれる。
【０００３】
TDI法は、カラードプラ断層法によって心臓の断層情報を直接計測するものである。このTDI法は、弁の場所や大きさを補正して心臓の断層像を表示できるという利点および２次元(2D: two-dimensional)でカラー表示できるという利点を有することから逆流の検出に有効である。例えば、TDI法は、僧坊弁逆流等の左室(LV: left ventricle)に流入する血流(LV inflow)の逆流量の計測に用いられている。ただし、TDI法は、カテーテルを用いた超音波ドプラ法やPWDに比べて流速が低めに計測されるため、精度面で問題がある。
【０００４】
一方、PWDはLV Inflow, 右室(RV: right ventricle) Inflow, LV Outflow, RV Outflowや肺静脈(PV: pulmonary vein)における血流の計測において最大流速等の血流情報の測定に用いられる。通常測定される血流情報は、LV InflowのE波、A波、減速時間(DCT: deceleration time)、PVのS波、D波、AR波等の血流診断パラメータである。また、血流診断パラメータは、僧帽弁逆流(MR: mitral regurgitation), 三尖弁逆流(TR: tricuspid regurgitation), 大動脈弁狭窄(AS: aortic stenosis)等の逆流が発生する異常時にも測定される。
【０００５】
PWDにより被検体の任意の位置における血流速度を定量的且つ正確に得る方法としてドプラスペクトラム法がある。このドプラスペクトラム法では、被検体の同一部位に対して一定間隔で複数回の超音波送受波を行ない、血球などの移動反射体において反射した超音波反射波からドプラ信号が検出される。そして、このドプラ信号の中から所望部位におけるドプラ信号がレンジゲートによって抽出され、抽出されたドプラ信号を高速フーリエ変換(FFT: fast Fourier transform)することによってドプラスペクトラム画像データが生成される。
【０００６】
このような手順により、被検体の所望部位から得られたドプラ信号からドプラスペクトラム画像データが連続的に生成され、生成された複数のドプラスペクトラム画像データを順次配列することによって、ドプラスペクトラム画像データ（Dモード像）を生成することができる。ドプラスペクトラム画像データは、縦軸に周波数、横軸に時間、各周波数成分のパワー（強さ）を輝度（階調）として生成される。そして、ドプラスペクトラム画像データに基づいて、各種の診断パラメータの計測が行なわれる。
【０００７】
具体的には、ドプラスペクトラム画像データの周波数軸方向に分布するドプラ周波数成分の最大周波数fpに対応する最大流速Vpあるいは平均周波数fmに対応する平均流速Vmの位置が設定され、最大流速Vp及び平均流速Vmの位置の時間変化を示すトレース波形が生成される。次に、トレース波形において、１心拍毎に収縮期の波形ピーク(PS: Peak Systolic)及び拡張期の波形ピーク(ED: End Diastolic)が検出される。そして、PSあるいはEDの位置情報に基づいて、心拍数(HR: Heart Rate)が計測され、更に、PSあるいはEDによって設定された心拍区間におけるトレース波形から末梢血管の診断パラメータであるPI (Pulsatility Index), RI (Resistance Index)あるいはHRの計測が行なわれる。
【０００８】
最大流速Vpや平均流速Vmのトレース波形の生成、PS/EDの検出およびHR, PI, RI等の診断パラメータの計測は近年ではリアルタイム表示されたドプラスペクトラム画像データから自動的に行うことが可能となっている（例えば、特許文献１および特許文献２参照）。例えば、PS/EDは、最大流速Vpや平均流速Vmのトレース波形または心電(ECG: electro cardiogram）波形に同期したトリガを生成し、生成された同期トリガを用いることによって検出することができる。
【０００９】
さらに、最大流速Vpや平均流速Vmのトレース波形の生成処理、PS/EDの検出処理およびHR, PI, RI等の診断パラメータの計測処理において、誤動作や誤った計測値の表示を回避させるために各処理に用いるパラメータを変更できるようにした技術も考案されている。この技術では、
【先行技術文献】
【特許文献】
【００１０】
【特許文献１】米国特許第５６２８３２１号明細書
【特許文献２】特開２００３−２８４７１８号公報
【発明の概要】
【発明が解決しようとする課題】
【００１１】
しかしながら、LV InflowのE波、A波、DCT、PVのS波、D波、AR波等の血流診断パラメータの計測は、依然としてユーザがドプラスペクトラム画像を参照することによってマニュアルでおこなわなければならない。具体的には、ドプラスペクトラムのシネ画像データのフリーズ後においてシネメモリに保存されたシネ画像データのレトロサーチを行って計測すべきED間の心拍領域を選択し、選択した心拍領域に２本のタイムカーソルを設定してE波等のピークの検出やDctラインのトレースをマニュアルでおこなうことが必要である。特に循環器の検査では、血流診断パラメータのマニュアル測定に要する時間が検査時間の大半を占める。このため、血流診断パラメータの計測時間の短縮化が望まれる。
【００１２】
また、ユーザごとにタイムカーソル、速度バー、近似プロット等の設定基準が異なるため、血流診断パラメータの精度がばらついたり、検査の再現性が損なわれる恐れがある。
【００１３】
本発明はかかる従来の事情に対処するためになされたものであり、超音波ドプラスペクトラム画像から血流量を表す診断情報をより簡易かつ短時間で画一的なデータとして取得することが可能な超音波診断装置および超音波診断装置のデータ処理プログラムを提供することを目的とする。
【課題を解決するための手段】
【００１４】
本発明に係る超音波診断装置は、上述の目的を達成するために、被検体に超音波を送受信することによってドプラ信号を収集し、収集した前記ドプラ信号に基づくスペクトラムデータを生成するデータ収集手段と、前記スペクトラムデータから自動的にトレースした複数心拍分のスペクトラムエンベロープ波形を心拍ごとに切出して並べる処理を施すことによって複数の波形データを血流診断情報として作成する血流診断情報作成手段とを備えるものである。
【００１５】
また、本発明に係る超音波診断装置のデータ処理プログラムは、上述の目的を達成するために、コンピュータを、被検体に超音波を送受信することによって収集されたドプラ信号に基づいてスペクトラムデータを生成するスペクトラム生成手段および前記スペクトラムデータから自動的にトレースした複数心拍分のスペクトラムエンベロープ波形を心拍ごとに切出して並べる処理を施すことによって複数の波形データを血流診断情報として作成する血流診断情報作成手段として機能させるものである。
【発明の効果】
【００１６】
本発明に係る超音波診断装置および超音波診断装置のデータ処理プログラムにおいては、超音波ドプラスペクトラム画像から血流量を表す診断情報をより簡易かつ短時間で画一的なデータとして取得することができる。
【図面の簡単な説明】
【００１７】
【図１】本発明に係る超音波診断装置の実施の形態を示す構成図。
【図２】図１に示すパラメータ計測部の詳細機能を示すブロック図。
【図３】図１に示す超音波診断装置によりドプラスペクトラムデータを収集し、収集したドプラスペクトラムデータに基づいて診断パラメータを自動的に計測して表示させる際の流れを示すフローチャート。
【図４】図２に示すパラメータ計測部におけるCAB処理の対象となる入力データの例を示す図。
【図５】図２に示すCAB処理部におけるCAB処理の出力データの例を示す図。
【図６】平均化処理およびモデル化の対象となるCAB処理後における心拍ごとの複数の波形データの一例を示す図。
【図７】ドプラスペクトラムデータ、心拍ごとの波形データおよび平均化処理後の代表波形データを並列表示させた例を示す図。
【図８】平均化処理後の代表波形データを時系列に並列表示させた例を示す図。
【図９】波形データのリジェクト条件として設定される閾値の例を示す図。
【図１０】リジェクトすべき波形データの候補を識別表示した例を示す図。
【図１１】特異値を有する波形データのリジェクト処理による効果を示す図。
【図１２】代表波形データに基づいてLV InflowのE波、A波およびDCTを計測した例を示す図。
【図１３】代表波形データに基づいてPV InflowのS波、D波およびAR波を計測した例を示す図。
【図１４】代表波形データと僧帽弁のクラッタ成分に相当する速度データに基づいて診断パラメータE/e’を計測する方法を説明する図。
【図１５】図１４に示す方法で自動計測された代表波形データVeのピーク[Ve]maxと僧帽弁のTDI WAVE Vmaのピーク[Vma]maxとを表示させた例を示す図。
【図１６】LV inflowの最大流速Vpを表す代表波形データと僧帽弁のTDI WAVEを共通の速度レンジを用いて重畳表示した例を示す図。
【図１７】LV inflowの最大周波数fpを表す代表波形データと僧帽弁の速度を表すTDI WAVEが重畳されたデータから互に異なるフィルタ処理を伴って抽出されたLV inflowの最大周波数fpおよび僧帽弁のTDI WAVEから診断パラメータE/e’を計測した例を示す図。
【図１８】診断パラメータTei-Indexの定義を示す図。
【発明を実施するための形態】
【００１８】
本発明の実施の形態について添付図面を参照して説明する。
【００１９】
（構成および機能）
図１は本発明に係る超音波診断装置の実施の形態を示す構成図である。
【００２０】
超音波診断装置１は、超音波プローブ２、基準信号発生部３、送受信部４、データ生成部５、データ記憶部６、血流評価部７、表示部８、ECGユニット９およびPCG (phono cardiogram)ユニット１０を備えている。また、データ生成部５は、Ｂモードデータ生成部１１、ドプラ信号検出部１２、カラードプラデータ生成部１３およびスペクトラムデータ生成部１４を備え、血流評価部７は、トレース波形生成部１５、PS/ED検出部１６およびパラメータ計測部１７を備えている。
【００２１】
尚、データ生成部５、データ記憶部６および血流評価部７は、回路により構築する他、全部または一部をコンピュータにデータ処理プログラムを読み込ませて構築することもできる。
【００２２】
超音波プローブ２は複数の圧電振動子を備え、送受信部４から受けた電気信号を超音波パルスに変換して被検体に送信する一方、被検体内部において生じた超音波反射信号を受信して電気信号に変換し、受信データとして送受信部４に与える機能を有する。
【００２３】
基準信号発生部３は、超音波プローブ２から送信する超音波のタイミング等の条件を規定するための基準信号を発生させて送受信部４に与えることにより送受信部４を制御する機能を有する。
【００２４】
送受信部４は、基準信号発生部３から受けた基準信号に従って超音波プローブ２に電気信号を与えることにより超音波プローブ２から超音波を送信させる機能と、超音波プローブ２において受信された受信データを受けてデータ生成部５に与える機能を有する。
【００２５】
Ｂモードデータ生成部１１は、送受信部４から受けた受信データに対して対数変換処理、包絡線検波処理、閾値処理、A/D (analog to digital)変換処理等の各種処理を行ってＢモード画像データを生成する機能と、生成したＢモード画像データをデータ記憶部６に与える機能を有する。
【００２６】
ドプラ信号検出部１２は、送受信部４から受けた受信データに対して直交位相検波を行うことによりドプラ信号を検出する機能と、検出したドプラ信号をカラードプラデータ生成部１３およびスペクトラムデータ生成部１４に与える機能を有する。
【００２７】
カラードプラデータ生成部１３は、ドプラ信号検出部１２から受けたドプラ信号からクラッタ成分を除去することにより血流成分を抽出し、血流成分の自己相関値に基づいて血流の平均流速値や分散値といったカラードプラデータを生成する機能と、生成したカラードプラデータをデータ記憶部６に与える機能を有する。また、TDIを行う場合には、カラードプラデータ生成部１３は、ドプラ信号から僧帽弁等の組織のクラッタ成分を抽出し、クラッタ成分に基づいて組織の移動速度データ等の組織ドプラデータを生成するように構成される。
【００２８】
スペクトラムデータ生成部１４は、ドプラ信号検出部１２から受けたドプラ信号に対してFFT分析を行なうことにより血流速度または組織速度の時間変化を示すスペクトラムデータを生成する機能と、生成したスペクトラムデータをデータ記憶部６に与える機能を有する。
【００２９】
トレース波形生成部１５は、データ記憶部６から所望の期間におけるスペクトラムシネ画像データを抽出し、閾値等の制御パラメータに従って最大周波数fp（または最大流速Vp）や平均周波数fm（または平均流速Vm）を算出することにより、最大周波数fpや平均周波数fmの所定期間の時間変化を示すドプラスペクトラムエンベロープ波形をオートトレース波形データとして自動的に生成する機能と、生成したトレース波形データをデータ記憶部６に与える機能を有する。また、トレース波形生成部１５は、トレース波形データ、ECGユニット９から取得したECG信号またはPCGユニット１０から取得したPCG信号に基づいて心拍周期を検出する機能を備えている。このため、トレース波形生成部１５において、複数心拍分のトレース波形データを自動的に生成することができる。
【００３０】
PS/ED検出部１６は、トレース波形生成部１５において生成されたトレース波形データを取得して、統計処理等の公知の処理を行うことによって心臓の収縮期を示すPSと拡張期を示すEDの位置を検出する機能を有する。尚、PSとEDの設定がトレース波形データのみからでは困難な場合には、ECGユニット９あるいはPCGユニット１０から取得したECG信号またはPCG信号が利用される。
【００３１】
尚、最大周波数（最大流速）や平均周波数（平均流速）のトレース方法やPS／EDのピーク位置の検出方法は任意であるが、詳細例については、例えば特開２００３−２８４７１８や米国特許５，６２８，３２１号明細書に開示されている。
【００３２】
パラメータ計測部１７は、PS／ED検出部１６において検出された所望の期間におけるPSとEDの位置情報およびトレース波形生成部１５において作成された所望の期間におけるトレース波形データを取得する機能、所望の期間におけるトレース波形データに対して後述するCAB (Cut and Align Beats)処理を行うことによって心拍ごとの複数の波形データを血流診断データとして取得する機能、CAB処理後の複数の波形データの平均化処理および/またはCAB処理後の複数の波形データを用いたモデル化処理を行うことによって代表波形データを得る機能、代表波形データに基づいてLV InflowのE波、A波、DCT、PVのS波、D波、AR波等の診断パラメータの計測を行う機能、得られた血流診断データや診断パラメータ等の血流診断情報を表示部８に表示させる機能を有する。
【００３３】
ECGユニット９は、被検体のECG波形を計測し、得られたECG波形をトレース波形生成部１５およびPS／ED検出部１６に与える機能を有する。PCGユニット１０は、被検体の心音波形（PCG波形）を計測し、得られたPCG波形をトレース波形生成部１５およびPS／ED検出部１６に与える機能を有する。
【００３４】
この結果、データ記憶部６には、Ｂモード画像データ、カラードプラデータ、スペクトラムデータ、トレース波形、PSとEDの位置情報およびE波、A波、DCT、S波、D波、AR波等の等の診断パラメータが記憶される。
【００３５】
表示部８は、データ記憶部６に保存された情報のうち、所望の情報を読み込んで表示する機能を有する。
【００３６】
図２は、図１に示すパラメータ計測部１７の詳細機能を示すブロック図である。
【００３７】
パラメータ計測部１７は、CAB処理部２０、CAB条件設定部２１、レンジ設定部２２、平均化処理部２３、平均化条件設定部２４、数学モデル化部２５、モデル化条件設定部２６、パラメータ算出部２７、データリジェクト部２８、リジェクトデータ選択部２９、リジェクト条件設定部３０、表示処理部３１、入力装置３２を有する。
【００３８】
CAB処理部２０は、所望の期間におけるトレース波形データに対してCAB処理を施すことにより心拍ごとの複数の波形データを作成する機能を有する。CAB処理は、トレース波形データを心拍ごとに切出して並べる処理である。このため、CAB処理によって時間軸、処理対象データの大きさ（速度または周波数）を表す軸および心拍軸を有する３次元データが得られる。但し、必要に応じて１心拍の期間を用いて心拍ごとの複数の波形データにおける時間を正規化することもできる。また、CAB処理部２０は、CAB処理における波形データの切出しタイミングを決定するために、必要に応じてECGユニット９またはPCGユニット１０からECG信号またはPCG信号を取得できるように構成されている。
【００３９】
CAB条件設定部２１は、入力装置３２からの情報に従ってCAB処理の条件を設定し、設定したCAB条件をCAB処理部２０に与える機能を有する。例えば、波形データの切出しタイミングをECG信号、PCG信号およびトレース波形のいずれの同期信号に基づいて決定するのかという切出し条件(CabTrig)、同期信号上の基準位置と波形データの切出しタイミングとの間にオフセット時間を設定するか否か(CabOffset)、心拍ごとの複数の波形データにおける時間を正規化するか否か(CabType)をCAB処理条件として設定することができる。
【００４０】
レンジ設定部２２は、CAB処理の入出力データの周波数レンジ（または速度レンジ）および原点位置等の座標系を自動的にまたは手動で設定する機能と、設定したレンジ情報および座標系情報をCAB処理部２０に与える機能を有する。自動的に周波数レンジおよび座標系を設定する場合には、データ記憶部６から取得した最大周波数fpや平均周波数fmのトレース波形データのヒストグラムを用いて周波数レンジおよび座標系を最適化することができる。また、手動で周波数レンジおよび座標系を設定する場合には、入力装置３２から周波数レンジおよび座標系の設定情報をレンジ設定部２２に入力することができる。
【００４１】
平均化処理部２３は、CAB処理後の複数の波形データの平均化処理を行うことによって１つの代表波形データを得る機能を有する。尚、平均化処理部２３は、データリジェクト部２８から通知された波形データを平均化処理の対象から除外するように構成されている。平均化条件設定部２４は、入力装置３２からの設定情報に従って平均化処理の条件を設定し、設定した平均化処理の条件情報を平均化処理部２３に与える機能を有する。
【００４２】
数学モデル化部２５は、CAB処理後の複数の波形データと数学モデルを用いたモデル化処理によって１つの代表波形データを得る機能を有する。尚、数学モデル化部２５は、データリジェクト部２８から通知された波形データをモデル化の対象から除外するように構成されている。モデル化条件設定部２６は、入力装置３２からの設定情報に従ってモデル化の条件を設定し、設定したモデル化の条件情報を数学モデル化部２５に与える機能を有する。
【００４３】
データリジェクト部２８は、平均化処理部２３における平均化処理および/または数学モデル化部２５におけるモデル化から除外すべき波形データを自動的にまたは手動で決定し、決定した波形データの情報を平均化処理部２３および/または数学モデル化部２５に通知する機能を有する。リジェクトすべき波形データの決定は、CAB処理後の波形データのPS位置、心拍期間、平均化処理またはモデル化によって作成された代表波形データからの乖離量等の特徴を示す量に基づいて行うことができる。このため、データリジェクト部２８は、CAB処理部２０から取得した波形データの特徴量または平均化処理部２３や数学モデル化部２５から取得した代表波形データからの波形データの乖離量が一定値を超えるか否かのエラー検出処理を行って、表示処理部３１を通じてエラー検出の結果を表示部８に表示させることができるように構成される。
【００４４】
リジェクトデータ選択部２９は、入力装置３２からの情報に従って平均化処理および/またはモデル化から除外すべき波形データを選択する機能と、波形データの選択情報をデータリジェクト部２８に通知する機能を有する。リジェクト条件設定部３０は、入力装置３２からの情報に従って平均化処理および/またはモデル化から除外すべき波形データを自動的に決定するための閾値等のリジェクト条件を設定する機能と、設定した波形データのリジェクト条件をデータリジェクト部２８に通知する機能を有する。
【００４５】
パラメータ算出部２７は、平均化処理部２３および/または数学モデル化部２５から取得した代表波形データに基づいてLV InflowのE波、A波、DCT、PVのS波、D波、AR波等の診断パラメータの計測を行う機能を有する。
【００４６】
表示処理部３１は、パラメータ計測部１７の各構成要素において生成された所望のデータを表示部８に出力させる機能と、GUI （Graphical User Interface）技術により表示部８に表示された画像を通じた入力装置３２の操作によって各種指示情報をパラメータ計測部１７に入力できるように電子キーを表示部８に表示させるための表示処理、特定のデータを選択できるようにデータを表示部８にサムネイル表示させるための表示処理、特定のデータを識別表示または抽出表示させる表示処理等の各種表示処理を行う機能を有する。
【００４７】
入力装置３２は、GUI技術により必要な情報をパラメータ計測部１７に入力するためのマウス、ハードキー、ソフトキー等の装置である。
【００４８】
（動作および作用）
次に超音波診断装置１の動作および作用について説明する。
【００４９】
図３は、図１に示す超音波診断装置１によりドプラスペクトラムデータを収集し、収集したドプラスペクトラムデータに基づいて診断パラメータを自動的に計測して表示させる際の流れを示すフローチャートである。
【００５０】
まずステップＳ１において、シネ撮像によって時系列のドプラスペクトラムデータがＢモード画像データやカラードプラデータとともに順次収集される。
【００５１】
すなわち、基準信号発生部３において発生された基準信号が送受信部４に与えられ、送受信部４から基準信号に従って電気信号が超音波プローブ２に与えられる。このため、超音波プローブ２から被検体に向けて超音波が送信され、被検体内部において生じた超音波反射信号が超音波プローブ２により受信されて電気信号に変換された受信データとして送受信部４に与えられる。受信データは送受信部４からＢモードデータ生成部１１、ドプラ信号検出部１２に与えられ、Ｂモードデータ生成部１１ではＢモード画像データが生成される一方、ドプラ信号検出部１２では、ドプラ信号が検出されてカラードプラデータ生成部１３およびスペクトラムデータ生成部１４に与えられる。
【００５２】
カラードプラデータ生成部１３では、ドプラ信号から血流成分が抽出されてカラードプラデータが生成され、スペクトラムデータ生成部１４ではスペクトラムデータが生成される。そして、Ｂモード画像データ、カラードプラデータおよびスペクトラムデータはデータ記憶部６に与えられて保存される。
【００５３】
次に、ステップＳ２において、トレース波形生成部１５によりスペクトラムデータから最大周波数fpや平均周波数fmの複数心拍分の時間変化を示すトレース波形データが自動的に作成される。このとき、心拍同期トリガとして必要に応じてECGユニット９からのECG信号の基準波またはPCGユニット１０からのPCG信号の基準波が利用される。ただし、トレース波形データ自身の値の変化に基づいて心拍同期トリガを作成することもできる。
【００５４】
次に、ステップＳ３において、PS/ED検出部１６により、トレース波形データに基づいて心筋の収縮期を示すPSと拡張期を示すEDの位置が検出される。このとき、必要に応じてECGユニット９からのECG信号の基準波またはPCGユニット１０からのPCG信号の基準波が利用される。
【００５５】
次に、ステップＳ４において、パラメータ計測部１７のCAB処理部２０により、トレース波形データに対してCAB処理が行われる。これにより、心拍ごとの複数の波形データが血流診断データとして作成される。
【００５６】
図４は、図２に示すパラメータ計測部１７におけるCAB処理の対象となる入力データの例を示す図である。
【００５７】
図４(A), (B)において横軸は時間を示し、縦軸は周波数を示す。図４(A)は、LV Inflowのドプラスペクトラムデータ上に重畳表示された最大周波数fpおよび平均周波数fmのトレース波形を示し、図４(B)は頸動脈(Carotid)のドプラスペクトラムデータ上に重畳表示された最大周波数fpおよび平均周波数fmのトレース波形を示す。
【００５８】
図４(A), (B)に示す曲線のようにトレース波形がドプラスペクトラムデータから自動的に検出される。また、マーカで示すようにトレース波形からPSおよびEDが自動検出される。そして、このように検出されたトレース波形、PSおよびEDをCAB処理の入力データとすることができる。
【００５９】
尚、図４においてドプラスペクトラムデータの縦軸を周波数としたが、対応する速度としてもよい。以下の図においても、スペクトラムデータや波形データの縦軸は、周波数スケールおよび速度スケールのいずれを用いてもよい。
【００６０】
図５は、図２に示すCAB処理部２０におけるCAB処理の出力データの例を示す図である。
【００６１】
図５(A)おいて横軸は時間を示し、縦軸は周波数を示す。また、図５(B)において右方向に向く軸は時間を、左方向に向く軸は心拍を、上方向に向く軸は最大周波数fpを、それぞれ示す。さらに、図５(C)において、右方向に向く軸は時間を、左方向に向く軸は心拍を、上方向に向く軸は平均周波数fmを、それぞれ示す。
【００６２】
図５(A)は、頸動脈のドプラスペクトラムデータ上において自動検出された１８心拍分の最大周波数fpおよび平均周波数fmの各トレース波形を示す。このような所定心拍期間のトレース波形上において各ED位置をそれぞれ切出しタイミングとして心拍(HB: heart beat)ごとにトレース波形を切出すことができる。そして切出した最大周波数fpの波形データを心拍軸方向に並べると図５(B)に示すような３次元的な波形の配列情報としてCAB処理データが得られる。同様に、切出した平均周波数fmの波形データを心拍軸方向に並べると図５(C)に示すようなCAB処理データが得られる。
【００６３】
図５(B), (C)に示すようなCAB処理データは、自動的に作成して血流診断データとしてデータ記憶部６に保存したり、表示部８に表示させることができる。
【００６４】
尚、波形データの切出しタイミングは、ED位置のみならず、PSやECG信号やPCG信号等の同期信号に基づいて決定することもできるし、トレース波形自身に基づいてマニュアルまたは基準位置から自動的に決定することもできる。
【００６５】
また、PS, ED, ECG信号のR波等の基準波、PCG信号のS1波やS2波等の基準波、トレース波形上において自動または手動で設定された基準位置のいずれかをトリガとして所望のオフセット時間経過前またはオフセット時間経過後のタイミングで波形データを切出すようにすることもできる。例えば、PSをトリガとしてPSの直前においてマージンとしてオフセットを設定すれば切出された波形データの開始位置がPSとならないため切出される複数の波形データ上においてそれぞれPSを観測することが可能となる。一方、PS位置の直前におけるトレース波形上の極小点をトリガとすれば、オフセット値をゼロとしても複数の波形データ上においてそれぞれPSを観測することが可能となる。
【００６６】
さらに、時間方向の単位をSI単位系(International System of Units)を用いずに、時間を１心拍の期間で正規化して%単位で表すこともできる。従って、時間方向の単位が正規化される場合には、トリガから切出しタイミングまでのオフセット時間も正規化した値となる。
【００６７】
上述したような、CAB処理条件はパラメータを用いて、予めステップＳ５において別途入力装置３２の操作によってCAB条件設定部２１において設定しておくことができる。例えば、波形データの切出しタイミングをECG信号、PCG信号、PS、EDおよびトレース波形上の基準位置のいずれの同期信号に基づいて決定するのかという切出し条件のパラメータCabTrigとしてECG, PCG, PS, ED, WAVEFORMから選択することができる。同様に、心拍ごとの複数の波形データにおける時間を正規化するか否かを示すパラメータCabTypeとして、secondか%を選択することができる。また、同期信号上の基準位置と波形データの切出しタイミングとの間のオフセット時間のパラメータCabOffsetとして所望の数値を設定することができる。尚、心拍ごとの波形データの時間を正規化しない場合には、パラメータCabOffsetの単位はmsとなり、心拍ごとの波形データの時間を正規化する場合には、パラメータCabOffsetの単位は%となる。
【００６８】
そして、このように設定されたCAB処理条件はCAB条件設定部２１からCAB処理部２０に与えられ、CAB処理部２０は、CAB処理条件に従ってCAB処理を実行する。
【００６９】
尚、CAB処理の対象となるトレース波形の周波数レンジ（または速度レンジ）および原点位置等の座標系は、CAB処理に先だってレンジ設定部２２において最適化される。座標系の最適化は、CAB処理の対象となる最大周波数fpや平均周波数fmのトレース波形データのヒストグラムに基づいてレンジ設定部２２において自動的に行うことができる。また、入力装置３２の操作によってレンジ設定部２２において座標系の設定を手動で行うこともできる。
【００７０】
次に、ステップＳ６において、心拍ごとの複数の波形データの平均化処理および心拍ごとの複数の波形データの数学モデルを用いたモデル化の一方または双方が実行される。これにより、１つの安定した代表波形データを得ることができる。
【００７１】
図６は、平均化処理およびモデル化の対象となるCAB処理後における心拍ごとの複数の波形データの一例を示す図である。
【００７２】
図６において横軸は時間を示し、縦軸は周波数を示す。図６に示すようにCAB処理によって異なる心拍にそれぞれ対応する最大周波数fpまたは平均周波数fmの複数の波形データが得られる。この複数の波形データに対して平均化処理および/またはモデル化を行うことができる。
【００７３】
まず、平均化処理を行う場合について説明する。
【００７４】
平均化処理は、平均化処理部２３において行われる。式(1)は複数の波形データに対する平均化処理を示す式である。
【数１】
2010200844.tif 000003
【００７５】
式(1)においてnは離散的な時間、kは心拍、Nは平均化に用いる心拍（つまり波形データ）の数、CAB(n, k)はCAB処理によって切出された心拍kと時間nの配列データ、x(n)は平均化された代表波形データである。平均化に用いる心拍の数N等の平均化処理の条件は、入力装置３２からの情報により平均化条件設定部２４においてパラメータとして設定することができる。尚、精度向上のためED等の心拍同期用のトリガの検出が安定する所定心拍の経過後における複数の波形データを用いて平均化処理を行うようにしてもよい。この心拍の数も平均化処理の条件として設定することができる。設定された平均化処理の条件は平均化条件設定部２４から平均化処理部２３に与えられる。
【００７６】
平均化された代表波形データは、ドプラスペクトラムデータ、トレース波形およびCAB処理後の複数の波形データとともに表示部８に表示させることができる。この場合、ドプラスペクトラムデータ、トレース波形およびCAB処理後の複数の波形データが表示処理部３１を通じて表示部８に出力される。また、平均化処理部２３から代表波形データおよび代表波形データの作成に用いた波形データの識別情報等の付帯情報が表示処理部３１に与えられる。そして、表示処理部３１における表示処理によって代表波形データや複数の波形データを様々な表示方法で表示させることができる。
【００７７】
図７は、ドプラスペクトラムデータ、心拍ごとの波形データおよび平均化処理後の代表波形データを並列表示させた例を示す図である。
【００７８】
図７(A)において横軸は時間を示し、縦軸は周波数を示す。また、図７(B)において横軸は心拍方向を、縦軸は更新方向を、各グラフの横軸は時間を、各グラフの縦軸は波形データの周波数値をそれぞれ示す。
【００７９】
図７(A)は、ドプラスペクトラムデータ上において自動的にトレースされた最大周波数fpおよび平均周波数fmのトレース波形を示す。このようなトレース波形に対するCAB処理によって図７(B)に示すような心拍ごとの波形データが順次得られる。換言すれば、図７(B)に示すようにCAB処理によって得られた複数の波形データを心拍ごとの複数の２次元データとして表示させることができる。
【００８０】
さらに、複数の心拍ごとの波形データの平均化処理を行うことにより図７(B)の右端に示すように平均化された代表波形データが得られる。尚、図７(B)の例では、代表波形データと直近の心拍に対応する波形データが重畳表示されている。そして、図７に示すようにトレース波形が重畳表示されたドプラスペクトラムデータとともに複数の波形データおよび代表波形データを並列表示させることができる。ただし、複数の波形データおよび代表波形データを別のウィンドウに切換表示させてもよい。
【００８１】
このような心拍ごとの波形データの切出しや代表波形データの計算は、拡張末期やPS等の所望のタイミングでリアルタイムに自動的に行うことができる。この場合、時系列の心拍ごとの複数の波形データおよび代表波形データは、拡張末期等の所望のタイミングで順次更新される。このようにリアルタイムに代表波形データ等の診断情報を自動更新させて表示させれば、循環器等の診断のスループットを大幅に改善することができる。
【００８２】
一方、心拍ごとの波形データの切出しや代表波形データの計算は、トレース波形の抽出やPSおよびEDの検出と同様に、ドプラスペクトラムデータの生成動作のフリーズ後におけるシネ画像データの再生時においても行うことができる。
【００８３】
リアルタイムまたはフリーズ後において平均化処理によって代表波形データを算出する場合には、平均化処理に用いた複数の波形データを識別表示させることができる。図７(B)の例では、移動平均に用いられた４つの連続した心拍に対応する波形データがハイライト表示されている。ハイライト表示は、例えば、特定の波形データの表示色、輝度、ラインの太さ等の要素を変えることによって行うことができる。このため、ユーザはどの波形データから代表波形データが得られたのかを容易に視認できる。
【００８４】
同様に、平均化処理に用いられた複数の波形データに対応するドプラスペクトラムデータ上のトレース波形の部分や最新の心拍に対応するトレース波形の部分をハイライト表示させることもできる。これにより、ドプラスペクトラムデータ上においてどの心拍領域が計測対象となっているのかの対応付けが容易となり、操作性を向上させることができる。
【００８５】
また、複数の波形データをドプラスペクトラムデータ用のウィンドウとは別のサブウィンドウに表示させる場合には、ドプラスペクトラムデータのスィープ速度と複数の波形データの更新速度とを独立に設定することができる。例えば、ドプラスペクトラムデータのスィープ速度が速い場合には、１心拍から２心拍程度のドプラスペクトラムデータしか表示部８に表示されない場合がある。そこで、複数の波形データの更新速度をドプラスペクトラムデータのスィープ速度に依存させずに数十秒程度に設定すれば、ドプラスペクトラムデータのスィープ速度が速くてもサブウィンドウにおいてハイライト表示された、代表波形データの作成に用いられた複数の波形データの範囲を視認することが可能となる。このため操作性の向上に繋がる。
【００８６】
さらに、ドプラスペクトラムデータの収集動作のフリーズ直後においてデータ記憶部６に記録されたシネ画像データをレトロスペクティブに読み出して最寄りのEDや拡張末期等の所望の時相まで自動的にドプラスペクトラムデータをスクロールバックさせることができる。このため、代表波形データの計測範囲を示す計測カーソルを所望の時相のトレース波形上に自動的に設定して代表波形データを計測するようにすることもできる。
【００８７】
このような代表波形データの計測範囲の自動設定により、ドプラスペクトラムデータの収集時においてユーザが計測カーソルのマニュアル設定を行うことなく常に最新の時相に対応する代表波形データを固定的に作成して表示させることができる。このような平均化処理の範囲を規定する計測カーソルの自動設定についても平均化処理の条件として予め設定しておくことができる。
【００８８】
図８は、平均化処理後の代表波形データを時系列に並列表示させた例を示す図である。
【００８９】
図８の各グラフにおいて横軸は時間を示し、縦軸は周波数を示す。図８に示す各グラフは、直近の４心拍分の波形データを用いて平均化処理して得られた代表波形データと最新の瞬時波形データとを比較した図であり、各グラフは心拍方向に並べられている。図８に示すように平均化処理によって、代表波形データと瞬時波形データとを比較することにより瞬時波形データの平均値からのシフト量を容易に確認することが可能となる。
【００９０】
次に、CAB処理によって得られた複数の波形データに基づくモデル化について説明する。
【００９１】
モデル化は、数学モデル化部２５において行われる。モデル化は、Burg (MEM)法、幾何学的ラティス法、Yule-Walker 法、修正共分散処理法等の一般的な方法で行うことができる。モデル化に用いる数学モデルの具体例としては、AR (auto regressive)モデル、ARX (auto regressive exogenous)モデル、FIR (finite impulse response)モデル、ARMAX (auto regressive moving average exogenous)モデル、ARARXモデル、ARARMAXモデル、OE (output error)モデル、BJ (Box and Jenkins)モデル等のパラメトリック(parametric)モデルが挙げられる。
【００９２】
ARモデルを用いたモデル化計算処理は、式(2)のように表される。
【数２】
2010200844.tif 000004
【００９３】
式(2)においてnは離散的な時間、x(n)は代表波形データ、u(n)は残差、αiはARモデルの係数系列、pはモデルの次数である。x(n)の観測時間は、ARモデル化条件のパラメータとして設定することができる。モデル化条件は、入力装置３２からの情報によりモデル化条件設定部２６においてパラメータとして設定することができる。設定されたモデル化条件はモデル化条件設定部２６から数学モデル化部２５に与えられる。
【００９４】
数学モデルを用いて複数の波形データのモデル化を行うと、より少ないパラメータ数を用いた数式として単純化された代表波形データを得ることができる。このため、数式により代表波形データを予測することも可能となる。モデル化によって作成された代表波形データは、診断情報として表示処理部３１を通じて表示部８に表示させることができる。
【００９５】
ところで、心拍期間や平均化またはモデル化された代表波形データからのシフト量等の波形を表す特徴量が一定の値を超えるような特異値をとる波形データは、代表波形データを作成するための平均化処理やモデル化から除外することが代表波形データの精度向上の観点から望ましい。そこで、必要に応じてデータリジェクト部２８において、異常値を示す波形データの平均化処理および/またはモデル化からのリジェクト処理が実行される。このリジェクト処理は、自動的または手動で行うことができる。
【００９６】
リジェクト処理を行う場合には、ステップＳ７において、リジェクト条件設定部３０により除外すべき波形データを決定するための閾値等のリジェクト条件が設定される。リジェクト条件としての閾値は、特異値を有する波形データを識別するための計測パラメータに対して設定される。
【００９７】
計測パラメータは、上述したようにPS位置、HR値、平均化された代表波形データからのシフト量、モデル化された代表波形データからのシフト量等の波形データが特異値を有するか否かを判断することが可能な任意のパラメータとすることができる。従って、計測パラメータは、PRD (Percent Root Mean Square Difference)や残差平方和等の基準値からの乖離量を評価するパラメータとして定義することもできる。
【００９８】
図９は、波形データのリジェクト条件として設定される閾値の例を示す図である。
【００９９】
図９において、横軸は計測パラメータの値を示し、縦軸は度数を示す。計測パラメータの値をプロットすると、一般に、図９に示すような確率密度関数で示される分布が得られる。そこで、図９に示すように計測パラメータに対する閾値をリジェクト条件として可変設定することができる。例えば、計測パラメータのPRDが10%を超える場合に対応する波形データの値が異常値または特異値であると判断する場合には、閾値としてPRD=10%を設定すればよい。
【０１００】
ただし、処理簡易化の観点から統計処理を行わずにPS位置等の特徴量の値自体に対する閾値をリジェクト条件として設定してもよい。
【０１０１】
そして、設定されたリジェクト条件は、リジェクト条件設定部３０からデータリジェクト部２８に通知される。
【０１０２】
次に、ステップＳ８において、データリジェクト部２８においてリジェクト条件に従ってエラー検出処理を行うことによって平均化処理および/またはモデル化から除外すべき波形データが決定される。
【０１０３】
リジェクト処理を自動的に行う場合には、閾値を用いたエラー検出処理によって除外すべき特異値を有する波形データが自動検出される。すなわち、波形データの特徴を表すPS位置やHR等の計測パラメータが閾値を超えた場合には、除外すべき波形データとして自動検出される。また、モデル化によって得られた代表波形データを用いれば、数式の残差を評価することによって数学モデルとかけ離れた非定常な波形データを自動検出することもできる。
【０１０４】
尚、リジェクト処理を自動的に行う場合には、ステップＳ６における平均化処理およびモデル化の前にリジェクト処理を行うようにしてもよい。
【０１０５】
一方、リジェクト処理を手動で行う場合には、閾値を用いたエラー検出処理によって除外すべき特異値を有する波形データの候補が自動検出される。この場合にも代表波形データを用いて波形データの特徴量を求めることができる。ただし、リアルタイムで代表波形データを作成する場合には、リジェクト処理は自動で行われることとなる。フリーズ後においてリジェクト処理を手動で行う場合において、リジェクトすべき波形データの候補がデータリジェクト部２８において検出されると、検出された波形データの候補が表示部８に表示される。
【０１０６】
図１０は、リジェクトすべき波形データの候補を識別表示した例を示す図である。
【０１０７】
図１０(A)は、ドプラスペクトラムデータ上において自動的にトレースされた最大周波数fpおよび平均周波数fmのトレース波形を示す。すなわち、図１０(A)において縦軸は周波数を示し、横軸は時間を示す。図１０(B)は、CAB処理によって得られた複数の波形データをプレビュー用の縮小画像としてサムネイル表示させた例を示す。
【０１０８】
図１０(B)に示すように、閾値処理によってエラー検出されたリジェクトすべき波形データの候補を識別表示することができる。例えば、図１０(B)の例では、フリーズ直前の１０心拍の波形データを用いて平均化処理を行う場合に、１、２、４、６心拍の不安定な波形データがリジェクトの候補としてハイライト表示されている。そして、ユーザはドプラスペクトラムデータおよびトレース波形とともにサムネイル表示された波形データを参照しながら、識別表示された波形データの候補からリジェクトすべき波形データをマニュアル選択することができる。
【０１０９】
具体的には、入力装置３２の操作によってリジェクトすべき波形データの選択情報がリジェクトデータ選択部２９に入力される。リジェクトすべき波形データが選択されると、波形データの選択情報がリジェクトデータ選択部２９からデータリジェクト部２８に通知される。そして、データリジェクト部２８において選択情報に対応する波形データが除外すべき波形データとして決定される。
【０１１０】
除外すべき波形データが決定されると、除外すべき波形データの識別情報がデータリジェクト部２８から平均化処理部２３および/または数学モデル化部２５に通知される。そうすると、ステップＳ６においてデータリジェクト部２８から通知された波形データを除外して再び平均化処理および/またはモデル化処理が実行される。これにより代表波形データが再計算される。
【０１１１】
図１１は、特異値を有する波形データのリジェクト処理による効果を示す図である。
【０１１２】
図１１(A), (B)において横軸は時間を示し、縦軸は周波数を示す。図１１(A)は、１０心拍分の波形データの平均化処理によって得られた代表波形データを示し、図１１(B)は、不安定な４心拍分の波形データをリジェクトして平均化処理を行うことによって得られた代表波形データを示す。
【０１１３】
図１１(B)に示すように不安定な波形データをリジェクトして平均化処理を行うことによって、より安定した代表波形データが得られることが確認できる。
【０１１４】
そして、波形データをリジェクトして再計算された代表波計データが表示部８に表示される。尚、リジェクト処理を自動で行って平均化処理またはモデル化処理を実行した場合には、除外した波形データを識別表示させることができる。これにより、ユーザは、平均化処理またはモデル化処理から除外された波形データを容易に確認することができる。
【０１１５】
さらに、サブウィンドウを用いて平均化処理に用いた波形データを任意の更新速度で識別表示させる場合には、サブウィンドウ上の識別表示もリジェクトされた波形データに連動して変化させることができる。例えば、リジェクトされた波形データのハイライト表示がオフ状態となる。
【０１１６】
また、波形データをリジェクトして再計算された代表波形データを表示部８に表示させ、入力装置３２の操作によって代表波形データの確定指示情報が平均化処理部２３および/または数学モデル化部２５に入力されるまで、ステップＳ８におけるリジェクトすべき波形データの選択およびステップＳ６における代表波形データの再計算を繰り返すようにしてもよい。この場合には、入力装置３２の操作によって代表波形データの確定指示情報が平均化処理部２３および/または数学モデル化部２５に入力されることによって代表波形データの計測が完了する。
【０１１７】
このような波形データのリジェクト機能により、ユーザはインタラクティブに代表波形データの作成に用いる波形データを選択またはリジェクトすることが可能となり操作性が向上する。
【０１１８】
代表波形データが確定すると、ステップＳ９において、パラメータ算出部２７により代表波形データに基づくLV InflowのE波等の血流に関する診断パラメータの自動計測が行われる。
【０１１９】
図１２は、代表波形データに基づいてLV InflowのE波、A波およびDCTを計測した例を示す図である。
【０１２０】
図１２において、横軸は時間を、ECGはECG信号を、PCGはPCG信号を、ED TRIGGERはトレース波形からトリガとして自動検出されたEDを、ED/PS PAIRはトレース波形から順次自動検出されるEDとPSのペアを、VELOCITY OF LV INFLOWは、LV Inflowの速度を表す代表波形データを、それぞれ示す。
【０１２１】
図１２に示すようにECG信号のR波、PCG信号のS1波またはS2波、ED、PS、マニュアル設定された基準位置等の任意のトリガから時間方向にEDとPSのペアをサーチすることによってE波およびA波の座標およびデータ値並びにDCTを計測することができる。
【０１２２】
また、同様な方法で任意のトリガを用いてPV inflowの速度を表す代表波形データからS波、D波、AR波の座標およびデータ値を計測することもできる。
【０１２３】
図１３は、代表波形データに基づいてPV InflowのS波、D波およびAR波を計測した例を示す図である。
【０１２４】
図１３において右上の画像は、走査範囲、走査方向およびレンジゲートを重畳表示したカラードプラ断層像である。また、図１３の下部の画像において横軸は時間を示し、縦軸は相対速度（相対周波数）を示す。
【０１２５】
図１３の下部の画像は、PV inflowの最大速度を表す代表波形データからECG信号のR波をトリガとして選択してS波のピーク位置およびピーク値を自動計測し、計測されたS波をドプラスペクトラムデータ上の最大流速Vpのトレース波形に重畳表示させた図である。図１３の画像には、参照用にECG信号も表示されている。
【０１２６】
さらに、血流速を表す代表波形データと別途TDIによって収集された弁尖部の移動速度を表す組織ドプライメージング波形データ(TDI WAVE)を用いて診断パラメータを計測することもできる。TDIを行う場合には、スペクトラムデータ生成部１４においてドプラ信号の組織のクラッタ成分に基づいて組織のドプラスペクトラムデータが求められる。
【０１２７】
具体例としては、LV inflowの速度を表す代表波形データと僧帽弁(MV: mitral valve)の弁輪の速度を表すTDI WAVEとを用いてLV InflowのE波の振幅とTDI WAVEのピークであるe’波の振幅の比E/e’を自動計測することができる。このE/e’は有用な血流診断パラメータの１つとして知られている。
【０１２８】
尚、E波とe’波の比E/e’は、LV inflowの代表波形データのE波の最大値Veと僧帽弁のTDI WAVE Vmaの最大値の比であるから[Ve]max/[Vma]maxと表される場合もある。また、時間軸を１心拍の期間で正規化して%単位で表すとE/e’の計測が簡易となる。
【０１２９】
図１４は、代表波形データと僧帽弁のクラッタ成分に相当する速度データに基づいて診断パラメータE/e’を計測する方法を説明する図であり、図１５は、図１４に示す方法で自動計測された代表波形データVeのピーク[Ve]maxと僧帽弁のTDI WAVE Vmaのピーク[Vma]maxとを表示させた例を示す図である。
【０１３０】
図１４において、横軸は時間を、ECGはECG信号を、PCGはPCG信号を、VELOCITIES OF LV INFLOW AND MVは、LV inflowの速度の代表波形データおよび僧帽弁の移動速度を表すTDI WAVEを、それぞれ示す。
【０１３１】
図１４に示すように、ECG信号のR波、PCG信号のS1波またはS2波、血流速のトレース波形から得られるEDやPS等の基準位置をトリガとしてLV inflowの代表波形データと僧帽弁のTDI WAVEとを重ね合わせることができる。そして、LV inflowのE波Veのピーク[Ve]maxと僧帽弁のTDI WAVEのe’波Vmaのピーク[Vma]maxを検出してそれぞれ図１５のように表示させることができる。尚、図１５は、ECG信号をトリガとしてLV inflowのE波Veのピーク[Ve]maxと僧帽弁のTDI WAVEのe’波Vmaのピーク[Vma]maxを検出した例を示す。
【０１３２】
このように検出されたLV inflowの代表波形データのE波Veのピーク[Ve]maxと僧帽弁のTDI WAVEのe’波Vmaのピーク[Vma]maxとの比を計算することによりE/e’を求めることができる。
【０１３３】
尚、ドプラスペクトラムデータ用のドプラ信号と組織ドプラデータ用のドプラ信号は、共通のレンジで収集することが可能である。この場合、LV inflowの最大流速Vpを表す代表波形データと僧帽弁のTDI WAVEは共通の速度レンジを用いて重畳表示されることとなる。
【０１３４】
図１６は、LV inflowの最大流速Vpを表す代表波形データと僧帽弁のTDI WAVEを共通の速度レンジを用いて重畳表示した例を示す図である。
【０１３５】
図１６において横軸は時間を示し、縦軸は速度に対応する周波数を示す。図１６に示すように、LV inflowの最大周波数fpを表す代表波形データと僧帽弁のTDI WAVEは共通の周波数レンジ（または速度レンジ）を用いて重畳表示される。
【０１３６】
しかし、より良好な精度でE波の振幅とe’波の振幅を求めるためには、E波およびe’波のそれぞれ適した周波数レンジまたは速度レンジで表示させることが望ましい。そこで、代表波形データとTDI WAVEが重畳されたデータからそれぞれE波の振幅とe’波の振幅を求めるために適した互に異なるフィルタで代表波形データとTDI WAVEを抽出することができる。
【０１３７】
図１７は、LV inflowの最大周波数fpを表す代表波形データと僧帽弁の速度を表すTDI WAVEが重畳されたデータから互に異なるフィルタ処理を伴って抽出されたLV inflowの最大周波数fpおよび僧帽弁のTDI WAVEから診断パラメータE/e’を計測した例を示す図である。
【０１３８】
図１７において横軸は時間を、(A)の縦軸はLV inflowの最大周波数の代表波形データfpを、(B)の縦軸は僧帽弁の速度に対応する周波数ftdiを、(C)の縦軸はE波およびe’波の振幅を、(D)の縦軸は診断パラメータE/e’の値を、それぞれ示す。
【０１３９】
図１７(A)に示すようにHPF (high pass filter)を用いたフィルタリングにより図１６に示す重畳データから低周波成分が除去された適切な周波数レンジのLV inflowの最大周波数の代表波形データfpを抽出することができる。一方、図１７(B)に示すようにLPF (low pass filter)を用いたフィルタリングにより図１６に示す重畳データから高周波成分が除去された適切な周波数レンジの僧帽弁の周波数データftdiを抽出することができる。
【０１４０】
次に、図１７(A)に示すLV inflowの最大周波数の代表波形データfpにおいてピークfpmaxを検出する。また、図１７(B)に示す僧帽弁の周波数データftdiにおいてピークftdimaxを検出する。そして、LV inflowの最大周波数の代表波形データfpのピークfpmaxおよび僧帽弁の周波数データftdiのピークftdimaxを速度スケールに換算することにより、図１７(C)に示すようにE波およびe’波の振幅を求めることができる。さらに、E波の振幅をe’波の振幅で除することにより図１７(D)に示すように診断パラメータE/e’の値を算出することができる。
【０１４１】
また、血流診断パラメータの１つとして知られているTei-Indexを自動計測することもできる。
【０１４２】
図１８は、診断パラメータTei-Indexの定義を示す図である。
【０１４３】
図１８において横軸は時間を、ECGはECG信号を、LV INFLOWはLV Inflowのスペクトラム波形データを、LV OUTFLOWはLV Outflowのスペクトラム波形データを、それぞれ示す。
【０１４４】
Tei-Indexは、図１８に示すように、LV Inflowのスペクトラム波形データのある心拍のA波の終端と次の心拍のE波の先端との間における時間をaとし、LV Outflowのスペクトラム波形データのピークの先端から終端までの時間をbとすると、式(3)のように表される。    ［数３］
Tei-Index = (a-b)/b   (3)
そこで、LV OutflowのスペクトラムデータおよびLV Outflowのスペクトラムデータの代表波形データからaおよびbの一方または双方を計算すれば、aおよび/またはbの代表値が得られる。この代表値は、複数の心拍について複数回測定したaやbの平均的な値となる。このため、aおよび/またはbの代表値を用いてTei-Indexを計算すれば、ばらつきが少なく安定したTei-Indexを容易に得ることができる。このため、ユーザは、Tei-Indexを心機能の評価に用いることができる。
【０１４５】
このようなE波等の診断パラメータは、PS, ED, HR等のパラメータと同様にリアルタイムまたはフリーズ後にパラメータ算出部２７において算出することができる。算出された診断パラメータの値はパラメータ算出部２７から表示処理部３１を通じて数値として表示部８に表示させることができる。
【０１４６】
リアルタイムに診断パラメータの値を表示させる場合には、PS等のトリガが検出される度に所望の遅延時間を伴って診断パラメータの値を更新させることができる。従って、最新のPSが検出された心拍に対応する診断パラメータを表示させずに、所望の時間が経過したPSが検出された心拍に対応する診断パラメータを表示させてもよい。
【０１４７】
また、フリーズ直後に診断パラメータの値を表示させる場合には、最寄りの心拍または所望の時間が経過した心拍に対応する診断パラメータを表示させることができる。この場合、上述したように、診断パラメータの算出に用いられた心拍のトレース波形の部分、心拍ごとの波形データ、ドプラスペクトラムデータの部分が容易に確認できるように自動的にスクロールバックして表示させたり、識別表示させることができる。
【０１４８】
つまり以上のような超音波診断装置１は、ドプラスペクトラムデータから得られるトレース波形に対してCAB処理を施すことによって心拍ごとの複数の波形データを診断情報として作成するものである。さらに、超音波診断装置１は、心拍ごとの複数の波形データから平均化処理やモデル化処理によって代表波形データを作成し、作成した代表波形データから診断パラメータを自動計測できるようにしたものである。
【０１４９】
（効果）
このため超音波診断装置１によれば、血流量を表す診断情報をより簡易かつ短時間で画一的なデータとして取得することができる。
【０１５０】
特に、従来は、診断パラメータの計測範囲を設定するためのタイムカーソルが自動設定できればHR, PS, ED, PI, RI等の診断パラメータを自動計測することが可能であったが、波形のパターン認識が必要となるE波等の診断パラメータの自動計測は困難であった。
【０１５１】
これに対して、超音波診断装置１によれば、LV InflowのE波、A波、DCT、PVのS波、D波、AR波等の診断パラメータを自動計測できる。このため、検査のスループットを向上させることができる。
【０１５２】
また、仮にトレース波形から検出したPSやEDをトリガとして単にトレース波形の所定のサーチ範囲においてE波等の診断パラメータを自動計測しようとするとノイズが大きくなり十分な精度で診断パラメータを得ることができない。
【０１５３】
これに対して、超音波診断装置１では、CAB処理によって得られた複数の波形データから作成された代表波形データを用いてE波等の診断パラメータを自動計測するため、十分な精度でE波等の診断パラメータを得ることができる。
【符号の説明】
【０１５４】
１  超音波診断装置
２  超音波プローブ
３  基準信号発生部
４  送受信部
５  データ生成部
６  データ記憶部
７  血流評価部
８  表示部
９  ECGユニット
１０  PCGユニット
１１  Bモードデータ生成部
１２  ドプラ信号検出部
１３  カラードプラデータ生成部
１４  スペクトラムデータ生成部
１５  トレース波形生成部
１６  PS/ED検出部
１７  パラメータ計測部
２０  CAB処理部
２１  CAB条件設定部
２２  レンジ設定部
２３  平均化処理部
２４  平均化条件設定部
２５  数学モデル化部
２６  モデル化条件設定部
２７  パラメータ算出部
２８  データリジェクト部
２９  リジェクトデータ選択部
３０  リジェクト条件設定部
３１  表示処理部
３２  入力装置
【図１】
2010200844.tif 000005
【図２】
2010200844.tif 000006
【図３】
2010200844.tif 000007
【図４】
2010200844.tif 000008
【図５】
2010200844.tif 000009
【図６】
2010200844.tif 000010
【図７】
2010200844.tif 000011
【図８】
2010200844.tif 000012
【図９】
2010200844.tif 000013
【図１０】
2010200844.tif 000014
【図１１】
2010200844.tif 000015
【図１２】
2010200844.tif 000016
【図１３】
2010200844.tif 000017
【図１４】
2010200844.tif 000018
【図１５】
2010200844.tif 000019
【図１６】
2010200844.tif 000020
【図１７】
2010200844.tif 000021
【図１８】
2010200844.tif 000022